(57)【要約】      （修正有）【課題】工芸品のような印象を与えることができる漆塗態様の外観を有するオーディオ装置を提供する。【解決手段】漆塗態様の外観を有するオーディオ装置１００は、オーディオ機能部と、外部からオーディオ機能部が視認されないようにオーディオ機能部を収容し、漆塗態様の外観を有する容器とを備える。本考案によれば、工芸品のような印象を与えることができる。【選択図】図１
0003217451.tif 000002
【実用新案登録請求の範囲】
【請求項１】
オーディオ機能部と、
外部から前記オーディオ機能部が視認されないように該オーディオ機能部を収容し、漆塗態様の外観を有する容器と
を備える漆塗態様の外観を有するオーディオ装置。
【請求項２】
前記容器は、
前記オーディオ機能部を収容する箱状の容器本体と、
前記容器本体の少なくとも一面を覆う蓋部と
を備える請求項１に記載の漆塗態様の外観を有するオーディオ装置。
【請求項３】
前記容器本体の一面に前記オーディオ機能部の操作部を備える請求項２に記載の漆塗態様の外観を有するオーディオ装置。
【請求項４】
前記操作部に前記オーディオ機能部に係る基本機能を操作するための１または複数の操作スイッチを備える請求項３に記載の漆塗態様の外観を有するオーディオ装置。
【請求項５】
前記複数の操作スイッチは、
異なる外観態様を有する請求項４に記載の漆塗態様の外観を有するオーディオ装置。
【請求項６】
前記操作部に音楽情報を記憶した記憶装置を接続する接続部を備える請求項３から請求項５のいずれか一項に記載の漆塗態様の外観を有するオーディオ装置。
【請求項７】
前記オーディオ機能部の状態を表示する表示部を備える請求項１から請求項６のいずれか一項に記載の漆塗態様の外観を有するオーディオ装置。
【請求項８】
有線通信または無線通信を介して音楽情報を送受信する通信部を備える請求項１から請求項７のいずれか一項に記載の漆塗態様の外観を有するオーディオ装置。
【請求項９】
無線通信を介して外部装置からの指令に応じて前記オーディオ機能部を制御する制御部を備える請求項１から請求項８のいずれか一項に記載の漆塗態様の外観を有するオーディオ装置。
【請求項１０】
有線通信または無線通信を介してヘッドホンまたはスピーカを接続するためのインタフェース部を備える請求項１から請求項９のいずれか一項に記載の漆塗態様の外観を有するオーディオ装置。
【請求項１１】
前記オーディオ機能部は、スピーカである請求項１に記載の漆塗態様の外観を有するオーディオ装置。
【考案の詳細な説明】
【技術分野】
【０００１】
本考案は、漆塗態様の外観を有するオーディオ装置に関する。
【背景技術】
【０００２】
漆塗加工装飾を施した工業的製品は家電メーカーなどから発売されているが、製品の主体は家電としての機械的機能を特徴付ける外観であり、漆塗部分は、副次的装飾であることが多い（特許文献1参照）。
【先行技術文献】
【特許文献】
【０００３】
【特許文献１】特開２００５−２２９０８０号公報
【考案の概要】
【考案が解決しようとする課題】
【０００４】
特許文献１のデジタル式電気製品は、単に外面に漆の被膜を施したものにすぎず、製品の使い勝手や機能を優先するため、外観が機械的または機能的である。
【０００５】
本考案は斯かる事情に鑑みてなされたものであり、工芸品のような印象を与えることができるオーディオ装置を提供することを目的とする。
【課題を解決するための手段】
【０００６】
本考案に係る漆塗態様の外観を有するオーディオ装置は、オーディオ機能部と、外部から前記オーディオ機能部が視認されないように該オーディオ機能部を収容し、漆塗態様の外観を有する容器とを備える。
【考案の効果】
【０００７】
本考案によれば、工芸品のような印象を与えることができる。
【図面の簡単な説明】
【０００８】
【図１】本実施形態の漆塗態様の外観を有するオーディオ装置の第１実施例の外観斜視図である。
【図２】本実本実施形態の漆塗態様の外観を有するオーディオ装置のオーディオ機能部の構成の一例を示すブロック図である。
【図３】本実施形態の漆塗態様の外観を有するオーディオ装置の第２実施例の外観斜視図である。
【図４】本実施形態の漆塗態様の外観を有するオーディオ装置の第３実施例の外観斜視図である。
【考案を実施するための形態】
【０００９】
以下、本考案の実施の形態を図面に基づいて説明する。図１は本実施形態の漆塗態様の外観を有するオーディオ装置１００の第１実施例の外観斜視図である。漆塗態様の外観を有するオーディオ装置１００（以下、「オーディオ装置１００」ともいう）は、オーディオ機能部と、外部からオーディオ機能部が視認されないようにオーディオ機能部を収容し、漆塗態様の外観を有する容器とを有する。容器は、容器本体１aと蓋部１bとを有する。容器本体１aは、オーディオ機能部を収容する箱状をなす。また、容器本体１aは、箱状の一面に対応する位置にオーディオ機能部を操作するための操作部８を設けている。操作部８は、外観が平面状をなし、例えば、布地や和紙のような表面を有する。
【００１０】
蓋部１bは、一面が開口した箱状をなし、容器本体１aを外挿する形で容器本体１aの操作部８を覆うとともに容器本体１aの４つの側壁の全部または一部を覆って容器本体１aに装着することができる。蓋部１bの外面および容器本体１aの外面は、漆塗態様の外観を有する。なお、蓋部１bが容器本体１bに装着された状態で外部から視認されない部分は、漆塗態様の外観を有しなくてもよい。漆塗態様の外観とは、例えば、漆塗りされた態様、漆器あるいは漆塗りされたような質感を有する表面を有する態様などを含む。
【００１１】
操作部８には、操作スイッチ３、音量調整ツマミ４、オーディオ機能部の状態を表示する表示部としての状態表示ランプ５、音楽情報を記憶した記憶装置（不図示）を接続する接続部としての外部装置接続口６を設けている。また、容器本体１aには、ヘッドホン出力端子２を設けてある。なお、ヘッドホン出力端子２に加えてスピーカ出力端子を設けてもよい。
【００１２】
操作スイッチ３は、オーディオ機能部の基本操作（例えば、電源の入切、音楽の再生、停止、早送り、巻き戻しなどを含む）を行うことができる。図１では、操作スイッチ３を２個備える構成であるが、操作スイッチ３の個数は２個に限定されない。例えば、１個でもよく、３個以上でもよい。
【００１３】
操作スイッチ３が複数設けてあり、複数の操作スイッチ３毎に異なる基本操作が割り当てられている場合、操作スイッチ３の外観態様を異なるようにしてもよい。異なる外観態様とは、例えば、色が異なる場合、材質が異なる場合、外観の形状が異なる場合などを含む。外観態様を異ならせることにより、基本操作を明示するための文字などが不要となり、機能的または機械的外観に代えて工芸品的な印象を与えることができる。
【００１４】
状態表示ランプ５は、表示部としての機能を有し、例えば、複数色を発光することができるＬＥＤで構成することができ、オーディオ機能部の状態（電源入り、再生中など）、内蔵のバッテリ（不図示）の状態（満充電状態、充電中、充電要など）を異なる発光色で表示することができる。
【００１５】
外部装置接続口６は、例えば、ＵＳＢ規格に準拠した接続コネクタであり、音楽情報（例えば、楽曲）を記憶したＵＳＢメモリを接続することにより、ＵＳＢメモリから音楽情報を、内蔵のメモリ５３に記憶することができる。
【００１６】
図２は本実施形態の漆塗態様の外観を有するオーディオ装置１００のオーディオ機能部５１の構成の一例を示すブロック図である。オーディオ機能部５１は、制御部５２、メモリ５３、通信部５４、インタフェース部５５、及びバッテリ５６などを備える。
【００１７】
オーディオ機能部５１は、メモリ５３に記憶した楽曲または通信部５４を介して外部の装置から受信した楽曲を再生することができる。楽曲の再生は、予め定められた順序でも良く、順序をシャッフルしてもよい。
【００１８】
通信部５４は、外部の装置との間で、有線通信または無線通信を介して音楽情報の送受信を行うことができる。例えば、通信部５４は、無線ＬＡＮを用いてインターネットに接続して外部の装置から楽曲をダウンロードすることができる。
【００１９】
制御部５２は、無線通信を介して外部装置からの指令に応じてオーディオ機能部５１を含むオーディオ装置１００の動作を制御することができる。制御部５２は、例えば、メモリ５３に記憶した楽曲の削除、楽曲の追加（登録）、楽曲の再生、停止、音量調整などの機能を実行することができる。
【００２０】
インタフェース部５５は、有線通信または無線通信を介してヘッドホンまたはスピーカを接続するための機能を有する。
【００２１】
本実施の形態のオーディオ装置１００は、蓋部１ｂを容器本体１aに装着した状態では、容器が漆塗態様の外観を有するので、漆塗りの美的質感の外観を保つことができ、一見して工芸品のような印象をユーザに与えることができる。また、楽曲を再生する場合には、一旦、蓋部１bを上方に持ち上げて操作部８を露出させて再生操作を行い、その後、再度蓋部１bを容器本体１aに装着すればよく、外観は漆塗り工芸品でありながら、オルゴールのように単一曲ではなく、様々な音楽を楽しむことができる。
【００２２】
また、本実施の形態のオーディオ装置１００は、外観は漆塗り工芸品でありながら、様々な音楽を楽しむことができるので、例えば、機械的外観や機能的外観を避けたい美術工芸品の展示会場、あるいは和風店舗（例えば、和風飲食店など）等において、会場や店舗の雰囲気と統一感を兼ね備えた外観で音響機器の提供を実現することができる。
【００２３】
図３は本実施形態の漆塗態様の外観を有するオーディオ装置１００の第２実施例の外観斜視図である。第１実施例は、バッテリ５６を内蔵し、ヘッドホンに対応したオーディオ装置であったが、第２実施例は、外部から電源が供給され、スピーカに対応したオーディオ装置である。
【００２４】
容器は、容器本体１１aと蓋部１１bとを有する。容器本体１１aは、オーディオ機能部を収容する箱状をなす。また、容器本体１１aは、箱状の一面に対応する位置にオーディオ機能部を操作するための操作部としての操作板１８を設けている。蓋部１１bの外面および容器本体１１aの外面は、漆塗態様の外観を有する。
【００２５】
容器本体１１aの上部の一縁辺には、蓋部１１bを回動可能に支持する軸部１２を設けている。これにより、蓋部１１bを軸部１２の周りに回動させて開閉することができる。
【００２６】
蓋部１１bの内側には、表示部としての状態表示パネル１５を設けている。状態表示パネル１５は、例えば、液晶パネルなどで構成することができ、文字、画像、図形などを表示することができる。例えば、再生中の楽曲のビデオ（動画）、歌詞などを表示させることができる。
【００２７】
容器本体１１aの底面には、スピーカ出力端子９、及び電源供給口７を設けてある。なお、第１実施例と同様の箇所は同一符号を付して説明を省略する。
【００２８】
第２実施例においても、第１実施例と同様に、蓋部１１bを閉じた状態では、容器が漆塗態様の外観を有するので、漆塗りの美的質感の外観を保つことができ、一見して工芸品のような印象をユーザに与えることができる。また、楽曲を再生する場合には、一旦、蓋部１１bを開けて操作板１８を露出させて再生操作を行い、その後、再度蓋部１bを閉じればよく、外観は漆塗り工芸品でありながら、オルゴールのように単一曲ではなく、様々な音楽を楽しむことができる。
【００２９】
また、第２実施例においても、外観は漆塗り工芸品でありながら、様々な音楽を楽しむことができるので、例えば、機械的外観や機能的外観を避けたい美術工芸品の展示会場、あるいは和風店舗（例えば、和風飲食店など）等において、会場や店舗の雰囲気と統一感を兼ね備えた外観で音響機器の提供を実現することができる。
【００３０】
図４は本実施形態の漆塗態様の外観を有するオーディオ装置２００の第３実施例の外観斜視図である。第３実施例は、第１実施例又は第２実施例と同様の漆塗態様の外観を有するが、オーディオ機能部としてのスピーカ２１を備える。容器本体２０ａは、スピーカ２１を収容する箱状をなす。なお、図４の例では、容器本体２０ａの形状を直方体として図示しているが、形状は直方体に限定的されるものではなく、立方体でもよく、円柱状でもよく、その他の形状でもよい。容器本体２０の底面などの所要の箇所には、スピーカ入力端子２２を設けてあり、スピーカ２１と電気的に接続されている。なお、スピーカ２１への信号の送信は、有線通信に限定されない。例えば、レシーバ等を設けて無線通信により信号を送信するようにしてもよい。
【００３１】
容器本体２０ａの背面には、開口部２０bを設けている。スピーカ２１は、例えば、ホーン構造とすることができるが、これに限定されない。スピーカ２１は、開口部２０bを通じて外部から視認できないように適宜の箇所に配置されている。
【符号の説明】
【００３２】
１a、１１a、２０a  容器本体
１b、１１b 蓋部
２  ヘッドホン出力端子
３  操作スイッチ
４  音量調整ツマミ
５  状態表示ランプ
６  外部装置接続口
７  電源供給口
８  操作部
９  スピーカ出力端子
１２  軸部
１５  状態表示パネル
１８  操作板
２０ｂ  開口部
２１  スピーカ
２２  スピーカ入力端子
５１  オーディオ機能部
５２  制御部
５３  メモリ
５４  通信部
５５  インタフェース部
５６  バッテリ
１００、２００  オーディオ装置
【図１】
0003217451.tif 000003
【図２】
0003217451.tif 000004
【図３】
0003217451.tif 000005
【図４】
0003217451.tif 000006